(57)【要約】【課題】  多大な労力を必要とせずに構築することが可能な土台支持構造を提供することを課題とする。【解決手段】  地盤上に構築された底版部１と、この底版部１から立ち上がる立上部２と、この立上部２の上面に設置された土台３と、を備える土台支持構造であって、立上部２が、底版部１に対して固定された複数のアルミニウム合金製の支持部材２Ａ，２Ａ，…を含んで構成されている。また、各支持部材２Ａは、底版部１に埋設されたアンカーボルトを利用して底版部１に対して固定されており、土台３は、その上下方向に配置された固定ボルトを利用して各支持部材２Ａに対して固定されている。【選択図】      図１
2006063539.tif 000002
【特許請求の範囲】
【請求項１】
地盤上に構築された底版部と、
当該底版部から立ち上がる立上部と、
当該立上部の上面に設置された土台と、を備える土台支持構造であって、
前記立上部が、前記底版部に対して固定されたアルミニウム合金製の支持部材を含んで構成されていることを特徴とする土台支持構造。
【請求項２】
前記支持部材は、前記底版部に埋設されたアンカーボルトを利用して前記底版部に対して固定されており、
前記土台は、その上下方向に配置された固定ボルトを利用して前記支持部材に対して固定されていることを特徴とする請求項１に記載の土台支持構造。
【請求項３】
前記支持部材は、底壁と、当該底壁と対向する上壁と、前記底壁と前記上壁との間に配置された互いに対峙する一対の側壁とを備えていることを特徴とする請求項１に記載の土台支持構造。
【請求項４】
前記支持部材の前記底壁が、前記底版部に埋設されたアンカーボルトを利用して前記底版部に対して固定されており、
前記土台は、その上下方向に配置された固定ボルトを利用して前記支持部材の前記上壁に対して固定されていることを特徴とする請求項３に記載の土台支持構造。
【請求項５】
地盤上に構築された底版部と、
当該底版部から立ち上がる立上部と、
当該立上部の上面に設置された土台と、を備える土台支持構造であって、
前記立上部が、前記土台の長手方向に沿って互いに間隔をあけて並べられた複数のアルミニウム合金製の支持部材を含んで構成されており、
前記各支持部材が前記底板部に対して固定されていることを特徴とする土台支持構造。
【請求項６】
前記各支持部材は、底壁と、当該底壁と対向する上壁と、前記底壁と前記上壁との間に配置された互いに対峙する一対の側壁とを備えており、
前記各支持部材の前記底壁の両端部が、前記底版部に埋設された二本のアンカーボルトを利用して前記底版部に対して固定されており、
前記土台は、その上下方向に配置された固定ボルトを利用して前記各支持部材の前記上壁に対して固定されていることを特徴とする請求項５に記載の土台支持構造。
【請求項７】
前記各支持部材の前記上壁は、前記土台の長手方向の端縁が前記底壁の端縁よりも内側に位置していることを特徴とする請求項６に記載の土台支持構造。
【請求項８】
前記底版部と前記土台との間に形成された隙間を覆うカバー部材をさらに備えていることを特徴とする請求項５乃至請求項７のいずれか一項に記載の土台支持構造。
【請求項９】
前記カバー部材は、前記土台に取り付けられた上カバーと、当該上カバーの下端部に取り付けられた下カバーとを備えており、
前記下カバーの長さが、前記上カバーの下端縁の長さよりも短いことを特徴とする請求項８に記載の土台支持構造。
【請求項１０】
前記支持部材が、押出形材からなることを特徴とする請求項１乃至請求項９のいずれか一項に記載の土台支持構造。
【発明の詳細な説明】
【技術分野】
【０００１】
本発明は、土台の支持構造に関する。
【背景技術】
【０００２】
従来の土台支持構造は、地盤上に構築された底版部（例えば、フーチングやべた基礎など）と、この底版部から立ち上がる立上部（いわゆる布基礎）と、この立上部の上面に設置された土台とを備えるものが一般的である。ところで、この土台支持構造の底版部と立上部は、現場打ちコンクリートにて一体的に構築されることが多いが、現場作業の簡略化や工期短縮を図るべく、鉄筋コンクリート製のプレキャスト部材を利用して構築されることもある（例えば、特許文献１参照）。
【特許文献１】特開平１１−２５６５９２号公報（段落００１１、図１）
【発明の開示】
【発明が解決しようとする課題】
【０００３】
特許文献１の土台支持構造においては、逆Ｔ字形状を呈するプレキャスト部材を利用して前記の立上部を構築していることから、立上部を現場打ちコンクリートで構築する場合に比べて型枠の設置作業やコンクリートの打設・養生が不要になる分だけ工期を短縮することができるものの、その一方で、プレキャスト部材の重量が嵩むことから、その運搬や設置作業に多大な労力を要してしまうという問題がある。
【０００４】
このような観点から、本発明は、多大な労力を必要とせずに構築することが可能な土台支持構造を提供することを課題とする。
【課題を解決するための手段】
【０００５】
このような課題を解決するために創案された本発明に係る土台支持構造は、地盤上に構築された底版部と、当該底版部から立ち上がる立上部と、当該立上部の上面に設置された土台と、を備える土台支持構造であって、前記立上部が、前記底板部に対して固定されたアルミニウム合金製の支持部材を含んで構成されていることを特徴とする。
【０００６】
この土台支持構造によると、コンクリート製のプレキャスト部材に比べて格段に軽量なアルミニウム合金製の支持部材を利用して立上部が構成されているので、多大な労力を必要とせずに立上部を構築することができる。なお、支持部材は、底版部に直に固定してもよいし、底版部上に敷き均されたモルタル等を介して間接的に底版部に固定してもよい。
【０００７】
なお、本発明に係る土台支持構造においては、前記支持部材は、前記底版部に埋設されたアンカーボルトを利用して前記底版部に対して固定されており、前記土台は、その上下方向に配置された固定ボルトを利用して前記支持部材に対して固定されているものであってもよい。
【０００８】
このようにすると、アンカーボルトに設置誤差があったとしても、その影響が土台に及ぶことがない。つまり、底版部に埋設されたアンカーボルトを用いて土台を支持部材に固定すると、アンカーボルトの設置誤差の影響が土台に及ぶことから、土台にも設置誤差が生じるおそれがあるが、アンカーボルトを用いて支持部材を底版部に固定するとともに、アンカーボルトとは別の固定ボルトを用いて土台を支持部材に固定すると、アンカーボルトの設置誤差が支持部材で吸収されることになるので、アンカーボルトの設置誤差の影響が土台に及ぶことはなく、その結果、土台を正確に設置することが可能となる。
【０００９】
また、本発明に係る土台支持構造においては、前記支持部材は、底壁と、当該底壁と対向する上壁と、前記底壁と前記上壁との間に配置された互いに対峙する一対の側壁とを備えているものであってもよい。
【００１０】
このような支持部材は、その内部が中空であるが故に非常に軽量で、その結果、その運搬や設置作業が格段に容易になる。
【００１１】
なお、内部が中空の支持部材を用いた場合には、前記支持部材の前記底壁を、前記底版部に埋設されたアンカーボルトを利用して前記底版部に対して固定するとともに、前記土台を、その上下方向に配置された固定ボルトを利用して前記支持部材の前記上壁に対して固定するとよい。
【００１２】
また、前記した課題を解決するために創案された本発明に係る他の土台支持構造は、地盤上に構築された底版部と、当該底版部から立ち上がる立上部と、当該立上部の上面に設置された土台と、を備える土台支持構造であって、前記立上部が、前記土台の長手方向に沿って互いに間隔をあけて並べられた複数のアルミニウム合金製の支持部材を含んで構成されており、前記各支持部材が前記底板部に対して固定されていることを特徴とする。
【００１３】
この土台支持構造では、土台の長手方向に沿って間隔をあけて設置された複数の支持部材を利用して立上部が構成されている。このようにすると、各支持部材の長さを土台よりも短くすることができ、しかも、各支持部材が強度の割に軽量なアルミニウム合金製であることから、各支持部材の運搬や設置作業が容易になる。
【００１４】
また、複数の支持部材を利用して立上部を構成した場合には、前記各支持部材は、底壁と、当該底壁と対向する上壁と、前記底壁と前記上壁との間に配置された互いに対峙する一対の側壁とを備えており、前記各支持部材の前記底壁の両端部が、前記底版部に埋設された二本のアンカーボルトを利用して前記底版部に対して固定されており、前記土台は、その上下方向に配置された固定ボルトを利用して前記各支持部材の前記上壁に対して固定されているものであってもよい。
【００１５】
このようにすると、アンカーボルトの設置誤差の影響が土台に及ぶことがないので、土台を正確に設置することが可能となる。また、各支持部材は、二本のアンカーボルトによって底版部に対して強固に固定されることになる。
【００１６】
なお、前記各支持部材において、前記上壁の前記土台の長手方向の端縁を前記底壁の端縁よりも内側に位置させると、各アンカーボルトの上方に開口が形成されることになるので、アンカーボルトにナットを締結する作業を容易に行うことができる。
【００１７】
また、複数の支持部材を利用して立上部を構成した場合には、前記底版部と前記土台との間に形成された隙間をカバー部材で覆うとよい。
【００１８】
このようにすると、床下空間への土砂や塵等の侵入が防止され、さらには、美観も向上する。
【００１９】
また、前記カバー部材は、前記土台に取り付けられた上カバーと、当該上カバーの下端部に取り付けられた下カバーとを備えており、前記下カバーの長さが、前記上カバーの下端縁の長さよりも短いものであってもよい。
【００２０】
このようにすると、上カバーと底版部との間に隙間が形成されることになるが、この隙間がいわゆる床下換気口として機能することになる。
【００２１】
なお、本発明に係る土台支持構造においては、前記支持部材を押出形材で形成するとよい。このようにすると、押出形材を適宜な長さ・角度で切断するだけで支持部材を製造することができ、さらに、押出形材の寸法精度がコンクリート製品等と比べて格段に高いので、狂いの少ない建物とすることができる。
【発明の効果】
【００２２】
本発明に係る土台支持構造によると、その構築作業において多大な労力を必要としない。
【発明を実施するための最良の形態】
【００２３】
以下、本発明を実施するための最良の形態を、添付した図面を参照しつつ詳細に説明する。
【００２４】
（全体構成）
本実施形態に係る土台支持構造は、図１に示すように、地盤Ｇ上に構築された底版部１と、この底版部１から立ち上がる立上部２と、この立上部２の上面に設置された土台３と、を備えており、本実施形態では、さらに、底版部１と土台３との間に形成された隙間を覆うカバー部材４を備えている。
【００２５】
（底版部）
底版部１は、鉄筋コンクリートで構築されたスラブ状の構造物であり、いわゆるフーチングやべた基礎に相当するものである。また、図２に示すように、底版部１には、土台３（図１参照）の長手方向に沿って複数のアンカーボルトＢ１，Ｂ１，…が埋設されている。
【００２６】
（立上部）
立上部２は、図１に示すように、土台３の長手方向に沿って互いに間隔をあけて並べられた複数の支持部材２Ａ，２Ａ，…を含んで構成されている。また、底版部１の上面と各支持部材２Ａの下面との間には、不陸調整層２Ｂが介設されている。つまり、本実施形態では、土台３の長手方向に沿って複数箇所に点在させた支持部材２Ａと不陸調整層２Ｂとにより、立上部２が構成されている。なお、本実施形態では、柱材Ｐの直下に支持部材２Ａが配置されているが、柱材Ｐ，Ｐ間に支持部材２Ａを配置しても勿論よい。
【００２７】
支持部材２Ａは、アルミニウム合金製の押出形材を利用して形成されており、図３の（ａ）に示すように、二本のアンカーボルトＢ１，Ｂ１を利用して底版部１に対して固定される底壁２１と、この底壁２１と平行に対向する上壁２２と、底壁２１と上壁２２との間に形成された側面視台形形状を呈する一対の側壁２３，２３とを備えている。
【００２８】
底壁２１には、その長手方向（押出形材の押出方向）の両端部のそれぞれに、アンカーボルトＢ１の軸部が挿通される挿通孔２１ａが形成されている。なお、挿通孔２１ａの孔径は、アンカーボルトＢ１の設置誤差を吸収できるように、アンカーボルトＢ１の軸部の軸径よりも大きくなっている。
【００２９】
上壁２２は、底壁２１よりも短尺であり、土台３（図１参照）の長手方向の端縁が底壁２１の端縁よりも内側に位置している。なお、本実施形態では、上壁２２の端縁が、底壁２１の挿通孔２１ａの直上に位置している（図５参照）。また、上壁２２は、その一端側の領域に形成された挿通孔２２ａと、この挿通孔２２ａから上壁２２の中心に至るガイド孔２２ｂとを有している。挿通孔２２ａは、固定ボルトＢ２（図３の（ｂ）参照）の頭部（ワッシャを含む）を挿通可能な形状・大きさに形成されており、ガイド孔２２ｂは、固定ボルトＢ２の頭部を挿通不能で、かつ、軸部を挿通可能な形状・大きさに形成されている。また、上壁２２の上面には、土台３（図１参照）の長手方向に沿って二条の係合溝２２ｃ，２２ｃが形成されている（図６参照）。
【００３０】
なお、支持部材２Ａは、中空の押出形材を、その側面が台形になるように斜めに切断することで形成される。このように、押出形材を利用すると、これを適宜な長さ・角度で切断するだけで支持部材２Ａを製造することができるので、製造コストの低廉化を図ることが可能となり、さらに、押出形材の寸法精度がコンクリート製品等と比べて格段に高いので、狂いの少ない土台支持構造を構築することが可能となる。
【００３１】
不陸調整層２Ｂは、底版部１の上面の不陸を整えるとともに、支持部材２Ａの設置高さを調節する目的で設けられるものであり、底版部１の上面に打設された無収縮モルタルからなる。
【００３２】
（土台）
土台３は、図４の（ｂ）に示すように、幅方向（長手方向に直交する方向）の中央に凹部３７が形成された土台本体３Ａと、土台本体３Ａの凹部３７に設置された複数の連結部材３Ｂ，３Ｂ，…とを備えており、上下方向に配置された固定ボルトＢ２（図３の（ｂ）参照）を利用して支持部材２Ａに対して固定されている。
【００３３】
土台本体３Ａは、アルミニウム合金製の中空の押出形材からなる。図６を参照してより詳細に説明すると、この土台本体３Ａは、下壁３１と、この下壁３１に垂設された左右一対の側壁３２，３２と、この側壁３２，３２間において下壁３１に垂設された左右一対の仕切壁３３，３３と、この仕切壁３３，３３の上端同士を連結する第一上壁３４と、この第一上壁３４の端部に垂設された左右一対の内壁３５，３５と、内壁３５と側壁３２とを連結する左右一対の第二上壁３６，３６とを備えていて、第一上壁３４と一対の内壁３５，３５とにより凹部３７が形成されている。
【００３４】
下壁３１には、その幅方向の中央に挿通孔３１ａが穿設されている。挿通孔３１ａには、支持部材２Ａに頭部が係止された固定ボルトＢ２の軸部が挿通される。また、下壁３１の下面には、支持部材２Ａの係合溝２２ｃ，２２ｃに入り込む突条３１ｂ，３１ｂが形成されている。
【００３５】
各側壁３２の下端部には、その他の部位よりも内側に窪む段部３２ａが形成されている。また、各側壁３２の側面には、外側に向かって張り出す張出片３２ｂが突設されている。なお、この張出片３２ｂには、図示せぬ大引等の横架材が載置される。
【００３６】
仕切壁３３，３３は、土台本体３Ａの内部であって凹部３７の底面の下方に形成されており、且つ、下壁３１の挿通孔３１ａおよび第一上壁３４の挿通孔３４ａを挟んで対向している。
【００３７】
第一上壁３４は、その縁部が仕切壁３３よりも外側に張り出しており、また、幅方向の中央に挿通孔３４ａが穿設されている。なお、この挿通孔３４ａには、固定ボルトＢ２の軸部が挿通される。
【００３８】
内壁３５，３５は、第一上壁３４の挿通孔３４ａを挟んで対向している。内壁３５，３５の離隔距離（すなわち、凹部３７の幅）は、後記する連結部材３Ｂの固定部３８の幅よりも若干大きくなっており、各内壁３５の高さ（すなわち、凹部３７の深さ）は、固定部３８の厚さよりも十分に大きくなっている。
【００３９】
なお、土台本体３Ａの構成は、図示のものに限定されることはなく、適宜変更しても差し支えない。例えば、図示は省略するが、土台本体３Ａの上面が平坦なもの（すなわち、凹部３７を備えていないもの）であってもよく、また、仕切壁３３の枚数も適宜変更しても差し支えない。
【００４０】
図４の（ｂ）に示す連結部材３Ｂは、土台本体３Ａと柱材Ｐとを連結するためのものであり、本実施形態では断面逆Ｔ字形状を呈するアルミニウム合金製の押出形材を利用して形成されていて、矩形形状を呈する固定部３８と、この固定部３８の上面に立設された挿入部３９とを備えている。
【００４１】
固定部３８は、土台本体３Ａの凹部３７に挿入可能な形状に成形されており、その中央には、固定ボルトＢ２の軸部を挿通可能な挿通孔３８ａが穿設されている。また、門形を呈する挿入部３９は、柱材Ｐの下端部に形成されたスリットＰ１に挿入可能な形状に成形されている。
【００４２】
なお、連結部材３Ｂを製作するには、断面逆Ｔ字形状を呈するアルミニウム合金製の押出形材を適宜な長さで切断するとともに、切り出した押出形材の適宜な部位を切除等すればよい。
【００４３】
（カバー部材）
図１に示すカバー部材４は、土台３に取り付けられた上カバー４Ａと、この上カバー４Ａの下端部に取り付けられた複数の下カバー４Ｂ，４Ｂ，…とを備えている。
【００４４】
上カバー４Ａは、底版部１と土台３との間に形成された隙間の大部分を覆うものであり、アルミニウム合金製や樹脂製の板材からなる。図６を参照してより詳細に説明すると、上カバー４Ａは、土台本体３Ａの段部３２ａに上端部分が固定される化粧部４１と、この化粧部４１の下端部から土台本体３Ａの下面に沿って延出する延出部４２とを備えている。また、図５に示すように、化粧部４１の端部は、支持部材２Ａの側壁２３の形状に合わせて斜めに切断されている。また、延出部４２には、下側に開口する取付溝４２ａが形成されている。なお、図１にも示すように、本実施形態では、隣り合う支持部材２Ａ，２Ａ間に上カバー４Ａを配置して、支持部材２Ａを露出させているが、この他、図示は省略するが、上カバー４Ａを土台本体３Ａの長手方向に連続して配置して、支持部材２Ａを覆っても勿論よい。
【００４５】
下カバー４Ｂは、図１に示すように、底版部１の上面と上カバー４Ａの下端部との間に形成された隙間を覆うものであり、ゴム製や樹脂製の部材からなる。また、下カバー４Ｂは、その長さが上カバー４Ａの下端縁よりも短くなっていて、隣り合う他の下カバー４Ｂと間隔をあけて配置されている。このようにすると、底版部１と上カバー４Ａとの間の隙間の一部が残置されることになり、この残置された隙間がいわゆる床下換気口として機能することになる。なお、図６に示すように、下カバー４Ｂは、断面逆Ｌ字形状を呈する塞ぎ部４３と、この塞ぎ部４３の上端部に形成された嵌合部４４とを備えていて、嵌合部４４を上カバー４Ａの取付溝４２ａに嵌め入れることで、上カバー４Ａの下端部（延出部４２）に取り付けられる。
【００４６】
（土台支持構造の構築方法）
次に、以上のように構成された土台支持構造の構築方法を詳細に説明する。
【００４７】
まず、図２に示すように、地盤Ｇ上において、図示せぬ鉄筋を配置し、その後、コンクリートを打設して底版部１を構築する。このとき、複数のアンカーボルトＢ１，Ｂ１，…を支持部材２Ａ（図３の（ａ）および（ｂ）参照）が設置される位置に合わせて植設しておく。
【００４８】
底版部１を構成するコンクリートが所定の強度に達したら、アンカーボルトＢ１の軸部に座金付きナットＮ１を螺合させたうえで、図３の（ａ）に示すように、底版部１の上面に無収縮モルタルを敷設して不陸調整層２Ｂを形成する。
【００４９】
不陸調整層２Ｂを構成する無収縮モルタルが所定の強度に達したら、図３の（ｂ）に示すように、支持部材２Ａの底壁２１に形成された二つの挿通孔２１ａ，２１ａ（図３の（ａ）参照）のそれぞれにアンカーボルトＢ１の軸部を挿通しつつ、不陸調整層２Ｂの上面に支持部材２Ａを載置し、その内部に突出したアンカーボルトＢ１の軸部に座金付きナットＮ１’を螺合して支持部材２Ａを底版部１に対して固定する。
【００５０】
続いて、支持部材２Ａの上壁２２の挿通孔２２ａに固定ボルトＢ２の頭部を挿通して当該頭部を支持部材２Ａの内部に突出させたうえで、固定ボルトＢ２をガイド孔２２ｂ（図３の（ａ）参照）に沿って移動させて支持部材２Ａの中央部に位置させる。
【００５１】
その後、図４の（ａ）に示すように、土台本体３Ａの底壁３１に形成された複数の挿通孔３１ａ，３１ａ，…（図６参照）のそれぞれに固定ボルトＢ２の軸部を挿通しつつ、複数の支持部材２Ａ，２Ａ，…の上面に土台本体３Ａを載置し、その凹部３７の底面（すなわち、図６に示す第一上壁３４の各挿通孔３４ａ）から固定ボルトＢ２の先端を突出させる。このとき、土台本体３Ａの下面に形成された突条３１ｂ，３１ｂ（図６参照）は、支持部材２Ａの上面に形成された係合溝２２ｃ，２２ｃ（図６参照）に入り込ませておく。
【００５２】
続いて、図４の（ｂ）に示すように、連結部材３Ｂの挿通孔３８ａに固定ボルトＢ２の軸部を挿通しつつ、土台本体３Ａの凹部３７の上面（すなわち、第一上壁３４の上面）に連結部材３Ｂを載置し、その固定部３８の上方に固定ボルトＢ２の先端を突出させる。その後、固定ボルトＢ２の軸部にナットＮ２を螺合して、土台本体３Ａと連結部材３Ｂとを一括して支持部材２Ａに対して固定する。
【００５３】
そして、図１に示すように、下カバー４Ｂが予め取り付けられている上カバー４Ａを土台本体３Ａの下端部に取り付けると、土台支持構造が完成する。
【００５４】
なお、図４の（ｂ）に示すように、柱材Ｐを土台３に立設するには、柱材Ｐの下端部に形成されたスリットＰ１に連結部材３Ｂの挿入部３９を挿入しつつ、柱材Ｐを土台本体３Ａの上面に載置し、複数の図示せぬドリリングタッピングねじをスリットＰ１と平行な側面（表面）から挿入部３９に向かって螺入すればよい。
【００５５】
以上のような構成を備える本実施形態に係る土台支持構造によると、非常に軽量なアルミニウム合金製の支持部材２Ａを利用して立上部２が形成されているので（図１参照）、多大な労力を必要とせずに、この土台支持構造を構築することができる。さらに、本実施形態に係る支持部材２Ａは、その内部が中空であるが故に非常に軽量で、その結果、その運搬や設置作業が格段に容易になる。
【００５６】
加えて、この土台支持構造においては、図１に示すように、複数の支持部材２Ａ，２Ａ，…を利用して土台３を支持する立上部２を構成したが故に、各支持部材２Ａの小型化を図ることが可能であり、これにより、その運搬や設置作業がより一層容易になる。
【００５７】
また、この土台支持構造では、図５に示すように、アンカーボルトＢ１とは別の固定ボルトＢ２を用いて土台本体３Ａと連結部材３Ｂを支持部材２Ａに固定する構造を採用したので、アンカーボルトＢ１に設置誤差があったとしても、その影響が土台本体３Ａと連結部材３Ｂに及ぶことがなく、その結果、土台本体３Ａと連結部材３Ｂを正確に設置することが可能となる。
【００５８】
さらに、各支持部材２Ａは、二本のアンカーボルトＢ１，Ｂ１によって底版部１に対して固定されているので、引抜き耐力が大きい。さらに、支持部材２Ａは、その端部が斜めに切断されていて、アンカーボルトＢ１の上方が開口していることから、座金付きナットＮ１’を容易にアンカーボルトＢ１に螺合させることができる。
【００５９】
また、本実施形態に係る土台支持構造においては、図１に示すように、底版部１と土台３との間にカバー部材４が配置されているので、床下空間への土砂や塵等の侵入が防止され、さらには、美観も向上する。
【００６０】
なお、本実施形態では、底版部１の上面を平坦に形成したが（図２参照）、これに限定されることはなく、例えば、図示は省略するが、底版部１の上面に、支持部材２Ａの下部が入り込む凹部を形成してもよい。
【００６１】
また、前記した土台支持構造の各構成部材は、適宜変更しても差し支えない。例えば、本実施形態では、支持部材２Ａと不陸調整層２Ｂとにより立上部２を構成したが（図３の（ｂ）参照）、これに限定されることはなく、例えば、図示は省略するが、不陸調整層２Ｂを省略して支持部材２Ａのみで立上部２を構成してもよい。この場合には、支持部材２Ａは、底版部１に直に設置されることになる。
【００６２】
また、本実施形態では、土台３の長手方向に沿って点在させた複数の短尺の支持部材２Ａ，２Ａ，…を利用して立上部２を構成したが（図１参照）、これに限定されることはなく、図示は省略するが、土台３の長手方向に沿って連続する一本の長尺の支持部材を利用して立上部２を構成してもよい。
【００６３】
なお、本実施形態では、アルミニウム合金製の押出形材を利用して構成した土台３を例示したが、木製その他の材質の土台を使用しても勿論差し支えない。
【図面の簡単な説明】
【００６４】
【図１】本発明の実施形態に係る土台支持構造を示す斜視図である。
【図２】底版部を説明するための斜視図である。
【図３】（ａ）は立上部を構成する不陸調整層を説明するための斜視図、（ｂ）は立上部を構成する支持部材を説明するための図である。
【図４】（ａ）は土台を構成する土台本体を説明するための斜視図、（ｂ）は土台を構成する連結部材を説明するための斜視図である。
【図５】本発明の実施形態に係る土台支持構造を示す側面図であって、一部を破断させた図である。
【図６】本発明の実施形態に係る土台支持構造を示す分解断面図である。
【符号の説明】
【００６５】
１      底版部
２      立上部
２Ａ    支持部材
２Ｂ    不陸調整層
３      土台
３Ａ    土台本体
３Ｂ    連結部材
４      カバー部材
４Ａ    上カバー
４Ｂ    下カバー
Ｂ１    アンカーボルト
Ｂ２    固定ボルト
【図１】
2006063539.tif 000003
【図２】
2006063539.tif 000004
【図３】
2006063539.tif 000005
【図４】
2006063539.tif 000006
【図５】
2006063539.tif 000007
【図６】
2006063539.tif 000008